【手続補正書】
【提出日】平成18年3月30日(2006.3.30)
【手続補正１】
【補正対象書類名】明細書
【補正対象項目名】特許請求の範囲
【補正方法】変更
【補正の内容】
【特許請求の範囲】
【請求項１】  打ち抜き部分または同等の平坦な部分を有して雌型ダイ（１４）または同等の排出面上に載置されたシート状材料（１０）から、排出片、特に廃棄部分（１２）を除去するための装置であって、
前記排出片が、前記排出面の開口（１６）上に広がって、少なくとも１つの排出ツール（４０、４１）の押圧により前記開口を通過して押し出され、
前記排出ツールに連動する支持手段（２０、２０ａ、２０ｂ、２０ｎ）を備え、
前記支持手段が、前記排出ツールの移動方向への移動が可能であり、前記排出面または雌型ダイに対して前記開口のエッジで確実に型締めされるように強固に連結され、前記開口に突出し、前記連結された対に対して傾けることのできる接触面または支持面（２４、２５、３４）を有し、前記載置位置において前記廃棄部分または排出片の下でほぼ平行であり、前記排出ツールによる前記廃棄部分の移動に応じて位置を変化させることが可能であり、特に前記廃棄部分の下方への移動に応じて前記シート材料に対して傾角をなすように移動させることが可能であり、
前記支持手段のために、前記連結対の一方が、少なくとも一つの切り欠いた受け溝（２８、３１）を有し、他方が、その受け溝に嵌合できて前記排出の方向（Ｘ）に延びている部分（２７、２９）を有し、
前記受け溝（２８、３１）と結合リブまたはバーを形成する前記部分（２７、２９）の断面が、あり組形状であり、
前記支持手段（２０、２０ａ、２０ｂ、２０ｎ）が、縦断面において、角度部分であって、一方で、前記雌型ダイ（１４）の受け溝（２８）に対して支持手段のリム（２２）の一つから突出して形成された少なくとも一つの結合リブ（２７）を有するか、または前記雌型ダイの結合リブ（２９）に対してリム（２２）に形成された垂直溝（３１）を有するとともに、他方で、前記支持面（２５）を形成する他の柔軟なリム（２４、３４）を有する装置。
【請求項２】  打ち抜き部分または同等の平坦な部分を有して雌型ダイ（１４、１４ａ）または同等の排出面上に載置されたシート状材料（１０）から、排出片、特に廃棄部分（１２）を除去するための装置であって、
前記排出片が、前記排出面の開口（１６、１６ａ）上に広がって、少なくとも１つの排出ツール（４０、４１）の押圧により前記開口を通過して押し出され、
前記排出ツールに連動する支持手段（２０ａ、６２）を備え、
前記支持手段が、前記排出ツールの移動方向への移動が可能であり、前記排出面または雌型ダイに対して前記開口のエッジで確実に型締めされるように強固に連結され、前記開口に突出し、前記連結された対に対して傾けることのできる接触面または支持面（２４、２５、３４）を有し、前記載置位置において前記廃棄部分または排出片の下でほぼ平行であり、前記排出ツールによる前記廃棄部分の移動に応じて位置を変化させることが可能であり、特に前記廃棄部分の下方への移動に応じて前記シート材料に対して傾角をなすように移動させることが可能であり、
前記連結対が前記排出の方向（Ｘ）に組み合わされ、
前記連結対の一方が、前記雌型ダイ（１４）の前記開口（１６）のエッジにおいて少なくとも一つの受け溝（２８ａ、２８ｂ）を有し、他方が、支持ツール（２０ｅ、２０ｆ、２１）の垂直リム（２２）において前記受け溝に嵌合できる部分（８０、９２、９７）を有し、
前記連結対が、前記雌型ダイのプラグイン異形断面部材（６５）と、造型された支持部分（６２）としての角度部分の一つのリムにより形成されてプラグイン異形断面部材に対応する中空異形部分（６３）とを有し、前記角度部分の他のリムが支持リップ（６４）であり、前記中空異形部分の形状が円筒カップの形状に合致する装置。
【請求項３】  請求項２において、
前記垂直リム（２２）の上に少なくとも一つのピン状のプラグイン部材（８０、９２）が形成され、そのプラグイン部材が、前記垂直リムと間隔（ｙ）を隔てて延び、前記受け溝（２８ｎ）と間隔（ｙ）を隔てて前記雌型ダイ（１４）に設けられた開口（８４、９４）にそれぞれ挿入され、前記排出の方向（Ｘ）に移動可能な装置。
【請求項４】  請求項３において、
前記プラグイン部材（８０、９２）および開口（８４）が矩形断面をもち、ならびに／または、前記プラグイン部材（８０）が、前記垂直リム（２２）の背面と間隔（ｙ）を隔てて直交ウエブ部分（８２）から突出している装置。
【請求項５】  請求項３または４において、
前記プラグイン部材（９２）が、前記垂直リム（２２）の側面と間隔（ｙ）を隔てて直交ウエブ部分（８２）から突出している装置。
【請求項６】  請求項２ないし５のいずれかにおいて、
垂直な前記受け溝（２８ａ、２８ｂ）の側面（８８）に段部が設けられ、垂直リム（２２）が、狭い断面の前記垂直溝の背面（９０）において支持される装置。
【請求項７】  請求項２ないし６のいずれかにおいて、
前記垂直リム（９７）がプラグイン通路（９８）によって角度ブラケット（１０２）のリム（１００）へ取り付けられ、前記ブラケットが垂直溝（２８ｂ）に延びるのに対し、前記角度ブラケットの他のリム（１０１）が前記雌型ダイ（１４）に連結される装置。
【請求項８】  請求項２において、
前記開口（１６ａ）のエッジに設けられ、プラグイン異形断面部材（６５）に取り付けられた造型された支持部分（６２）が、互いに対向するように配置され、その支持部分（６２）が、互いに相手の方を向く弾性材料からなる径方向の支持リップ（６４）を有する装置。
【請求項９】  請求項１において、
前記支持面（２５）を形成する柔軟なリム（２４）が、両側で片持部分（３４）により境界を定められるエッジ開口（３２）と、そのエッジ開口（３２）に対し間隔を隔てている少なくとも一つの内部開口（３０）とを有する装置。
【請求項１０】  請求項１ないし９のいずれかにおいて、
前記支持面（２５）を形成するリム（２４）の前記排出の方向（Ｘ）における下流側に、少なくとも一つの捕捉フィンガ（３８）、特に１対の捕捉フィンガが設けられている装置。
【請求項１１】  請求項１または１０において、
前記支持面（２５）を形成するリム（２４）が、前記他のリム（２２）に形成され捕捉フィンガ（３８）を形成する側部に配置されている装置。
【請求項１２】  請求項１０または１１において、
前記捕捉フィンガ（３８）が、縦断面において自由端（３６）から捕捉フィンガが形成されたリム（２２）に向かって拡大されている装置。
【請求項１３】  請求項１ないし１２のいずれかにおいて、
前記支持手段（２０ａ）が、ほぼＵ字型断面の部分フレームを有し、その部分フレームが、２つの平行な側壁（２３）と結合リブ（２７）を含む背面部分とを有し、支持板（４６、４６ａ）が、前記側壁の間の軸心（Ａ）のまわりに回動可能に設けられている装置。
【請求項１４】  請求項１ないし１３のいずれかにおいて、
前記排出ツール（４０；４１、４２）が、前記支持手段（２０、２０ａ、２０ｂ、２０ｎ）の面（３４、３４ａ）の間に延び、前記面が前記排出の方向（Ｘ）に移動可能な装置。
【請求項１５】  請求項１ないし１４のいずれかにおいて、
前記支持面（２５）を含む部分（２４；４６、４６ａ；６４）が、その自由端（３５）において少なくとも一つのエッジ開口（３２）を有し、
そのエッジ開口が、前記排出ツール（４０、４１）の自由端に対向するように配置されている装置。
【請求項１６】  請求項１ないし１５のいずれかにおいて、
粗面をもち丸められた自由端を有する圧力ピン（４０）が、前記排出ツールとして前記支持面（２５）に対向して配置される装置。
【請求項１７】  請求項１ないし１５のいずれかにおいて、
平坦な断面をもつ一つ以上のフィンガ状のフォーク枝（４２、４２ａ、４２ｂ）をもつフォーク部材（４１、４１ａ、４１ｂ）が、前記排出ツールとして前記支持面（２５）に設けられ、
前記フォーク枝（４２、４２ａ、４２ｂ）の自由端が、粗面を有する装置。
【請求項１８】  請求項１７において、
前記フォーク枝（４２、４２ａ、４２ｂ）の自由端が、前記フォーク枝に形成された部分的に円の曲線（４３ａ）、または前記フォーク枝の上に形成された先端部により形成される装置。
【請求項１９】  請求項１６または１７において、
前記粗面が、コーティング（４４）、特に酸化物、カーバイド、コランダムまたはその同等物のいずれかのコーティングにより形成される装置。
【請求項２０】  請求項１９において、
前記コーティング（４４）が、溶射により施される装置。
【請求項２１】  請求項１６または１７において、
前記粗面が、プラスチック材料またはゴムのコーティングにより形成される装置。
【請求項２２】  請求項１６または１７において、
前記粗面が、圧力ピン（４０）またはフォーク枝（４２、４２ａ、４２ｂ）の表面に設けられた凹凸により形成され、
前記圧力ピンまたはフォーク枝（４２）が、機械的、化学的または電気的に粗面化される装置。
【請求項２３】  請求項１７ないし２２のいずれかにおいて、
前記粗面（４４）の軸方向の高さ（ｈ）が、最大で前記圧力ピン（４０）の径（ｄ）またはフォーク枝（４２）の幅に合致する装置。
【請求項２４】  請求項１６または１７において、
突出している歯（６１、６１ａ）、フック（６１ｂ）または少なくとも一つの肩（６１ｃ）が、前記圧力ピン（４０）またはフォーク枝（４２、４２ａ、４２ｂ）の自由端から間隔を置いた位置から傾いて形成される装置。
【請求項２５】  請求項１７ないし２４のいずれかにおいて、
前記フォーク部材（４１）がプレート状の雌型ダイ（５６）から突出し、その雌型ダイ（５６）に連結されたフォーク部材（４１）の一部がクランプノーズ（６０）および／またはアバットメント（５４）を有する装置。
【請求項２６】  請求項１ないし２５のいずれかにおいて、
前記開口（１６、１６ａ）にクリップ状ツール（６８から７４）が固定され、そのクリップ状ツールがそれぞれフレーム部分（７６）を含み、そのフレーム部分から弾性支持トング（３４ｂ）が内方に突出するか、またはフレーム部分の上に少なくとも一つの内方に向けた支持板（４６ｂ）がピボット軸（Ａ）のまわりに回動可能に配置されている装置。
【請求項２７】  請求項２６において、
平面視で少なくとも部分的に湾曲したフレーム部分（７６）、またはほぼ矩形のフレーム部分（７６）を備える装置。